(57)【要約】      （修正有）【課題】誰でもが何時でも、何処でも、気軽に使用することができ芳香の香りを楽しむことができる電気マット蒸散式アロマエッセンシャルオイル、電気マット蒸散式お香、電気マット蒸散式芳香成分と電気マット芳香成分蒸散器を提供する。【解決手段】アロマエッセンシャルオイルの液、または、その他の芳香成分の液が浸透している電気加熱蒸散式のマット１を、電気マット芳香成分蒸散器２の上面にセットし、蒸散器のヒータ９で加熱することにより、アロマエッセンシャルオイルの液またはその他の芳香成分の液が蒸散するようにする。そして、蒸散した芳香成分を、電気マット芳香成分蒸散器２の上面と下側面に通風孔４を設け、部屋内に芳香成分を拡散するようにする。【選択図】  図２
2005058734.tif 000002
【特許請求の範囲】
【請求項１】
電気加熱蒸散式のマットにアロマエッセンシャルオイルの液または同様な香りがする成分の液が浸透する前記マットを加熱し温めることにより芳香の香りが蒸散することを特徴とする電気マット蒸散式アロマエッセンシャルオイル、電気マット蒸散式お香、電気マット蒸散式芳香成分と電気マット芳香成分蒸散器。
【請求項２】
電気加熱蒸散式のマットにお香の成分の液または同様な香りがする成分の液が浸透する前記マットを加熱し温めることにより芳香の香りが蒸散することを特徴とする電気マット蒸散式アロマエッセンシャルオイル、電気マット蒸散式お香、電気マット蒸散式芳香成分と電気マット芳香成分蒸散器。
【請求項３】
請求項１または請求項２以外の芳香の香りがする成分の液が電気加熱蒸散式のマットに浸透する前記マットを加熱し温めることにより芳香の香りが蒸散することを特徴とする電気マット蒸散式アロマエッセンシャルオイル、電気マット蒸散式お香、電気マット蒸散式芳香成分と電気マット芳香成分蒸散器。
【請求項４】
請求項１または請求項２または請求項３において、芳香の成分の液を浸透する電気加熱蒸散式のマットに成分の液及び芳香の香りが逃げないように包装する包装手段を具備していることにより、包装を開封するまでは液の蒸発及び芳香の香りを消失しないことを特長とする電気マット蒸散式アロマエッセンシャルオイル、電気マット蒸散式お香、電気マット蒸散式芳香成分と電気マット芳香成分蒸散器。
【請求項５】
請求項１または請求項２または請求項３において、電気マット芳香成分蒸散器にはコンセントから電気を通電する通電手段と、前記通電により発熱する発熱手段と、電気加熱蒸散式のマットをセットし前記発熱している部位からの加熱を受けて前記電気加熱蒸散式のマットを温めるようにセッティングするセッティング手段とを具備していることにより、電気マット芳香成分蒸散器の電源をＯＮに入れると電気加熱蒸散式のマットが温まり浸透している芳香の香り成分の液を適量に蒸散することができることを特徴とする電気マット蒸散式アロマエッセンシャルオイル、電気マット蒸散式お香、電気マット蒸散式芳香成分と電気マット芳香成分蒸散器。
【請求項６】
請求項５において、電気マット芳香成分蒸散器に電気加熱蒸散式のマットに浸透している芳香の香りの成分を通風孔からの風の流れで拡散する拡散手段と、タイマーによって所定時間で電源ＯＦＦにするタイマー手段と、コンセントからの通電を所定の電源スイッチの操作に基づいて電源ＯＮ／ＯＦＦする電源切換手段と、電源ヒューズによって所定電流値を超えたら電源が切れる電源断手段と、電源のＯＮ／ＯＦＦに基づいて表示器が点灯する点灯手段とを具備していることにより、芳香の香りの成分が部屋内に拡散することができ、この成分の拡散をタイマーによって時間調整ができ、そして、任意に電源をＯＮ／ＯＦＦすることができ、過電流時はヒューズが切れることによって電源断することができ、表示器の点灯のＯＮ／ＯＦＦで電源のＯＮ／ＯＦＦを確認することができることを特徴とする電気マット蒸散式アロマエッセンシャルオイル、電気マット蒸散式お香、電気マット蒸散式芳香成分と電気マット芳香成分蒸散器。
【発明の詳細な説明】
【技術分野】
【０００１】
本発明は、何時でも、何処でも、誰でも気軽に使用することができ芳香の香りを楽しむことができる電気マット蒸散式アロマエッセンシャルオイル、電気マット蒸散式お香、電気マット蒸散式芳香成分と電気マット芳香成分蒸散器に関する。
【背景技術】
【０００２】
現在、芳香浴を楽しむにはアロマエッセンシャルオイルを用いる場合は、アロマポットまたはアロマライトを用いている。そして、上記アロマポットはローソクの火でアロマエッセンシャルオイルを数滴落とした受け皿を温めて芳香浴をする。上記アロマライトは電球でアロマエッセンシャルオイルを数滴落とした受け皿を温めて芳香浴をする。
【０００３】
お香の場合は、お香に火を点け香炉に置いて芳香の香りがする煙で香らせている。または電気香炉で発熱する部位にお香をおいて芳香の香りがする煙で香らせている。
【発明の開示】
【発明が解決しようとする課題】
【０００４】
そこで本発明は、何時でも、何処でも、誰でも気軽にアロマエッセンシャルオイルで芳香浴またはお香等の芳香の香が楽しめるようにし、そして、火を使用しないで、簡易でかつ安全に使用することができる電気マット蒸散式アロマエッセンシャルオイル、電気マット蒸散式お香、電気マット蒸散式芳香成分と電気マット芳香成分蒸散器を提供する。
【課題を解決するための手段】
【０００５】
上記課題の解決手段として、請求項１記載の発明は、電気加熱蒸散式のマットにアロマエッセンシャルオイルの液または同様な香りがする成分の液が浸透する前記マットを加熱し温めることにより芳香の香りが蒸散することを特徴とする。
【０００６】
請求項２記載の発明は、電気加熱蒸散式のマットにお香の成分の液または同様な香りがする成分の液が浸透する前記マットを加熱し温めることにより芳香の香りが蒸散することを特徴とする。
【０００７】
請求項３記載の発明は、請求項１または請求項２以外の芳香の香りがする成分の液が電気加熱蒸散式のマットに浸透する前記マットを加熱し温めることにより芳香の香りが蒸散することを特徴とする。
【０００８】
請求項４記載の発明は、請求項１または請求項２または請求項３において、芳香の成分の液を浸透する電気加熱蒸散式のマットに成分の液及び芳香の香りが逃げないように包装する包装手段を具備していることにより、包装を開封するまでは液の蒸発及び芳香の香りを消失しないようにすることを特徴とする。
【０００９】
請求項５記載の発明は、電気マット芳香成分蒸散器にはコンセントから電気を通電する通電手段と、前記通電により発熱する発熱手段と、電気加熱蒸散式のマットをセットし前記発熱している部位からの加熱を受けて前記電気加熱蒸散式のマットを温めるようにセッティングするセッティング手段とを具備していることにより、電気マット芳香成分蒸散器の電源をＯＮに入れると電気加熱蒸散式のマットに浸透している芳香の香り成分の液を適量に蒸散することができることを特徴とする。
【００１０】
請求項６記載の発明は、請求項５において、電気マット芳香成分蒸散器に電気加熱蒸散式のマットに浸透している芳香の香りの成分を通風孔からの風の流れで拡散する拡散手段と、タイマーによって所定時間で電源ＯＦＦにするタイマー手段と、コンセントからの通電を所定の電源スイッチの操作に基づいて電源ＯＮ／ＯＦＦする電源切換手段と、電源ヒューズによって所定電流値を超えたら電源が切れる電源断手段と、電源のＯＮ／ＯＦＦに基づいて表示器が点灯する点灯手段とを具備していることにより、芳香の香りの成分が部屋内に拡散することができ、この成分の拡散をタイマーによって時間調整ができ、そして、任意に電源をＯＮ／ＯＦＦすることができ、過電流時はヒューズが切れることによって電源断することができ、表示器の点灯のＯＮ／ＯＦＦで電源のＯＮ／ＯＦＦを確認することができることを特徴とする。
【発明の効果】
【００１１】
本発明は、使用手段が簡易で安全なものになっているのでお年寄りもアロマエッセンシャルオイルで芳香浴が楽しめる。また、素人の人、家族でも芳香浴が楽しめる。
【００１２】
本発明は、使用手段が簡易で安全なものになっているのでお年寄りもお香で香りが楽しめる。また、素人の人、家族でもお香の香りが楽しめる。
【発明を実施するための最良の形態】
【００１３】
本発明の実施例について説明する。図１と図２を用いて説明する。図１は本発明の電気マット蒸散式アロマエッセンシャルオイル、電気マット蒸散式お香、電気マット蒸散式芳香成分と電気マット芳香成分蒸散器の実施例を示す傾斜図である。図２は本発明の電気マット蒸散式アロマエッセンシャルオイル、電気マット蒸散式お香、電気マット蒸散式芳香成分と電気マット芳香成分蒸散器の実施例を示す側面透視図である。
【００１４】
本発明の電気加熱蒸散式のマット１はアロマエッセンシャルオイルの液または同様な香りがする成分の液または、お香の成分の液または同様な香りがする成分の液または、それ以外の芳香の香りがする成分の液が浸透することができる素材及びヒータ９で温めても燃えない素材を使用する。そして、前記電気加熱蒸散式のマット１は予め上記液類が浸透していて包装している前記電気加熱蒸散式のマット１を使用したり、上記液類が何も浸透していない前記電気加熱蒸散式のマット１に上記液類が入っている瓶容器等から上記液類を浸透して使用することができる。前記電気加熱蒸散式のマット１の形状は電気マット芳香成分蒸散器２本体上部のマットセッティング皿３にセットする加熱部位の凹部分に入る大きさならば実施例の円形以外の四角、三角などの形状でも使用可能である。
【００１５】
また、上記アロマエッセンシャルオイルの液または同様な香りがする成分の液または、お香の成分の液または同様な香りがする成分の液または、それ以外の芳香の香りがする成分の液が浸透する前記電気加熱蒸散式のマット１は、適当なときに使用できるように、アルミまたは石油化学合成品等で密閉包装していることにより、芳香の香りの成分は蒸発及び消失が抑えられ長持ちするようになっている。また、包装する手段により、プロフェッショナルの色々なブレンドが手軽に入手可能にもなり、そして、不注意で芳香の香り成分の液を零してしまうようなことがなくなる。
【００１６】
上記電気加熱蒸散式のマット１を耐熱性のある電気マット芳香成分蒸散器２本体の上面に金属製で加熱部位が凹部分のマットセッティング皿３をセットする。前記マットセッティング皿３は前記電気マット芳香成分蒸散器２本体の上面に穴が開いており挿入するようになっている。前記マットセッティング皿３を挿入すると耐熱性のヒータ台座１０に固定されているヒータ９には接触しないように前記電気マット芳香成分蒸散器２本体の上面に前記マットセッティング皿３上面の縁が固定され加熱部位の凹部分も露出するようになっている。前記ヒータ９はＰＴＣサーミスタポジスタ（ヒータ用）等を用いる。
【００１７】
前記マットセッティング皿３のセッティングが終わったならば芳香の香りの成分が浸透している前記電気加熱蒸散式のマット１を前記マットセッティング皿３の凹部分の上面にセットする。
【００１８】
前記電気マット芳香成分蒸散器２の電源スイッチ５またはタイマー設定器６を用いて電源ＯＮを入れると発熱部のヒータ９は発熱し熱せられた前記マットセッティング皿３の加熱部位の凹部分は温まり、この温まった熱によってセットした前記電気加熱蒸散式のマット１に浸透しているアロマエッセンシャルオイルの液または同様な香りがする成分の液または、お香の成分の液または同様な香りがする成分の液または、それ以外の芳香の香りがする成分の液が蒸散するようになっている。そして、この蒸散している芳香の香りの成分を前記電気マット芳香成分蒸散器２の上面と下側面に通風孔４を設けていることにより自然風で芳香の香りの成分が上昇し部屋内に芳香の香りの成分を拡散するようになっている。
【００１９】
その他には、電源保護の為にヒューズ１１を設け、電源は家庭用コンセントからコンセントプラグ７で供給し、そして、電源ＯＮの場合は表示器８のＬＥＤを点灯させることによって電源状態が目視できるようになっている。
【００２０】
上記手段により、電気加熱蒸散式のマット１にアロマエッセンシャルオイルの液または同様な香りがする成分の液または、お香の成分の液または同様な香りがする成分の液または、それ以外の芳香の香りがする成分の液が浸透するマットを使用する手段と、電気マット芳香成分蒸散器２本体の上面に設置しているマットセッティング皿３の凹部分に前記アロマエッセンシャルオイルの液または同様な香りがする成分の液または、お香の成分の液または同様な香りがする成分の液または、それ以外の芳香の香りがする成分の液がマットに浸透している前記マットを簡易にセッティングすることができる手段と、前記マットセッティング皿３が温まることによって前記電気加熱蒸散式のマット１が温まり浸透している芳香の香りの成分が蒸散するようになっている手段により、これによって何時でも、何処でも、誰でも気軽に使用することができ気分に合せてマットセッティング皿３丸ごと交換して芳香の香りを楽しむこともできる電気マット蒸散式アロマエッセンシャルオイル、電気マット蒸散式お香、電気マット蒸散式芳香成分と電気マット芳香成分蒸散器である。
【図面の簡単な説明】
【００２１】
【図１】本発明の電気マット蒸散式アロマエッセンシャルオイル、電気マット蒸散式お香、電気マット蒸散式芳香成分と電気マット芳香成分蒸散器の実施例を示す傾斜図である。
【図２】本発明の電気マット蒸散式アロマエッセンシャルオイル、電気マット蒸散式お香、電気マット蒸散式芳香成分と電気マット芳香成分蒸散器の実施例を示す側面透視図である。
【符号の説明】
【００２２】
１…電気加熱蒸散式のマット、２…電気マット芳香成分蒸散器、３…マットセッティング皿、４…通風孔、５…電源スイッチ、６…タイマー設定器、７…コンセントプラグ、８…表示器、９…ヒータ、１０…ヒータ台座、１１…ヒューズ
【図１】
2005058734.tif 000003
【図２】
2005058734.tif 000004